(57)【要約】【目的】この発明の目的は、上部が開き、中が空洞である合成樹脂から成る直方体の大きな面の一面の外側に電気釜の側壁に装着する留め具を設け、他の大きな面の内側に鉄板を埋め込むか張り付けその外側に、磁石を付し写真を貼った合成樹脂のボードの飾りを張り付けたり裏返したりできるようにし、この直方体の内部に脱着できるしゃもじを入れるための合成樹脂の容器を収納し、しゃもじを清潔に保ち、電気釜の側壁を独創的にデザインし、合わせて電気釜内のご飯が次回に不足しないようにお米を研ぐことを思い起こさせることを目的とする。【構成】上部が開き、中が空洞である合成樹脂から成る直方体の大きな面の一面の外側に電気釜の側壁に装着するための留め具を設け、他の大きな面の内側に鉄板を埋め込むか張り付けその外側に、磁石を付し写真を貼った合成樹脂のボードの飾りを張り付けたり裏返したりできるようにし、この直方体の内部に脱着できるしゃもじを入れるための合成樹脂の容器を収納した電気釜用しゃもじ入れ。【選択図】        図１
2004148067.tif 000002
【特許請求の範囲】
【請求項１】
上部が開き、中が空洞である合成樹脂から成る直方体の大きな面の一面の外側に電気釜の側壁に装着する留め具を設け、他の大きな面の内側に鉄板を埋め込むか張り付けその外側に、磁石を付し写真を貼った合成樹脂のボードの飾りを張り付けたり裏返したりできるようにし、この直方体の内部に脱着できるしゃもじを入れるための合成樹脂の容器を収納した電気釜用しゃもじ入れ。
【発明の詳細な説明】
【０００１】
【発明に属する技術分野】
この発明は、上部が開き、中が空洞である合成樹脂から成る直方体の大きな面の一面の外側に電気釜の側壁に装着する留め具を設け、他の大きな面の内側に鉄板を埋め込むか張り付けその外側に、磁石を付し写真を貼った合成樹脂のボードの飾りを張り付けたり裏返したりできるようにし、この直方体の内部に脱着できるしゃもじを入れるための合成樹脂の容器を収納した電気釜用しゃもじ入れに関するものである。
【０００２】
【従来の技術】
従来、電気釜に装着させるしゃもじ入れの容器はあったが、電気釜の側壁の殺風景さを補ったり、電気釜の中のご飯の不足を表示することができなかった。
【０００３】
【発明が解決しようとする課題】
この発明は、上記課題を解決するためになされたもので、上部が開き、中が空洞である合成樹脂から成る直方体の大きな面の一面の外側に電気釜の側壁に装着する留め具を設け、他の大きな面の内側に鉄板を埋め込むか張り付けその外側に、磁石を付し写真を貼った合成樹脂のボードの飾りを張り付けたり裏返したりできるようにし、この直方体の内部に脱着できるしゃもじを入れるための合成樹脂の容器を収納した電気釜用しゃもじ入れを提供するものである。
【０００４】
【課題を解決するための手段】
上記目的を達成するため、上部が開き、中が空洞である合成樹脂から成る直方体の大きな面の一面の外側に電気釜の側壁に装着する留め具を設け、他の大きな面の内側に鉄板を埋め込むか張り付けその外側に、磁石を付し写真を貼った合成樹脂のボードの飾りを張り付け電気釜のデザインを独創的なものにしたり、合わせてボードを裏返すことによって電気釜の中のご飯の不足を表示し、この直方体の内部に脱着できるしゃもじを入れるための合成樹脂の容器を収納したことを特徴とする。
【０００５】
【発明の実施の形態】
以下、本発明に係わる電気釜用しゃもじ入れの発明の実施形態について説明する。
本発明の電気釜用しゃもじ入れは、上部が開き、中が空洞の合成樹脂から成る直方体の大きな面の一面の外側に電気釜の側壁に装着する留め具を設け、他の大きな面の内側に鉄板を埋め込むか張り付けその外側に、磁石を付し写真を貼った合成樹脂のボードの飾りを張り付けたり裏返したりできるようにし、この直方体の内部に脱着できるしゃもじを入れるための合成樹脂の容器を収納した構造になっている。
直方体を構成する合成樹脂の厚さは、強度と留め具の磁石が電気釜の側壁に装着するに耐えられる重量とによって決められる。留め具は、電気釜の側壁が磁石を吸着する場合は磁石で、吸着しない場合は両面接着テープで装着させるようになっている。
直方体の電気釜の側壁に装着させる留め具を設けた大きな面ではない他の大きな面の内側には、鉄板が埋め込むか張り付けられているが、これはこの面の外側に磁石を付し写真を貼った合成樹脂のボードの飾りを張り付けて電気釜のデザインを独創的なものにしたり、裏返すことによって電気釜の内部のご飯の不足を表示しお米を研ぐことを忘れないようにしている。なお、直方体のこの面の縁には額縁を付し、デザインをさらに良くしている。
直方体の内部には、脱着できるしゃもじをいれる合成樹脂の容器が収納されているので、この容器を取り出して洗うことができる。
【０００６】
【実施例】
以下、本発明に係わる電気釜用しゃもじ入れの実施例を図面に基づいて説明する。
図１は、本発明に係わる電気釜用しゃもじ入れの実施例を示す斜視図で、図２は、本発明に係わる電気釜用しゃもじ入れを電気釜の側壁に装着した状態を示す斜視図である。
図１で、本発明の電気釜用しゃもじ入れＡの構成を説明する。上部が開き、中が空洞である合成樹脂から成る直方体は、背面１、正面２、左側面３、右側面４で構成される。直方体の背面１の外側には、電気釜Ｂの側壁１４に電気釜用しゃもじ入れＡを装着させる留め具９が設けられ、そこには電気釜の側壁１４が磁石で吸着する場合は磁石が、磁石を吸着しない場合は両面接着テープが付けられている。従って、電気釜用しゃもじ入れＡの重量は、磁石並びに両面接着テープの吸着力によって決められるのは当然である。磁石並びに両面接着テープは図面には記されていない。なお、この留め具９は、電気釜Ｂの直径が２５ｃｍ，２８ｃｍのもの、並びに側壁が平面のものに対応できるようになっている。直方体の正面２の内側には、図面にはないが鉄板７が埋め込まれるか張り付けられている。この鉄板７は、図２で示す飾りＣを磁石で張り付けるものである。直方体の正面２の外側と鉄板７との間隔（板厚）は、この磁石の吸着力が耐えられるものとなっている。直方体の左側面３、右側面４の上部にはそれぞれ切り込み６が設けられ、しゃもじ１５を入れるための合成樹脂の容器５を脱着しやすいようにしてある。しゃもじ１５を入れる容器５は、しゃもじ１５の大きさに合わせ直方体の内側にフィットさせてある。
直方体の正面２の外側の縁には色付きの合成樹脂の額縁が付されており、飾りＣを映えるようにしてある。
図２で、本発明の電気釜用しゃもじ入れを電気釜の側壁に装着した状態を説明する。電気釜Ｂは、本体部１３、蓋部１０で構成され、蓋部１０には操作部１１並びに蓋開閉部１２が付されている。電気釜Ｂの本体部１３の側壁１４の目立ちやすく、しかもしゃもじ１５が取り出しやすい所に、電気釜用しゃもじ入れＡを留め具９を介して装着する。しゃもじ１５を入れる合成樹脂の容器５の中にしゃもじ１５を入れる。
直方体の正面２の外側に鉄板７が埋め込まれるか張り付けられているので、飾りＣが図面にはないが磁石１８を付した合成樹脂のボード１６で構成されているため、飾りＣを吸着し固定する。
飾りＣのボード１６には、好みの写真等を張り付けることができるので電気釜Ｂの本体部１３の側壁１４を独創的にまた色彩よくデザインすることができる。また、電気釜Ｂの内部のご飯が次回に不足するように思えるなら、飾りＣを裏返しにして正面２の外側に張り付ければデザインが崩れるので、ご飯が不足していることを思い起こさせ、お米を研ぐことを忘れないようにさせることができる。
【０００７】
【発明の効果】
この発明の電気釜用しゃもじ入れは、上部が開き、中が空洞である合成樹脂から成る直方体の大きな面の一面の外側に電気釜の側壁に装着す留め具を設け、他の大きな面の内側に鉄板を埋め込むか張り付けその外側に、磁石を付し写真を貼った合成樹脂のボードの飾りを付したり裏返したりできるようにし、この直方体の内部に脱着できるしゃもじを入れるための合成樹脂の容器を収納した構造で、容器を外して洗うことができ、また直方体の大きな一面に張り付けたり、裏返したりする飾りによって電気釜を独創的にデザインにし、合わせて電気釜内のご飯の量が次回に不足していることを思い起こさせ、お米を研ぐことを忘れないようにすることができる。
【図面の簡単な説明】
【図１】は、本発明の電気釜用しゃもじ入れの実施例を示す斜視図である。
【図２】は、本発明の電気釜用しゃもじ入れを電気釜の側壁に装着した状態を示す斜視図である。
【符号の説明】
Ａ………………電気釜用しゃもじ入れ
Ｂ………………電気釜
Ｃ………………飾り
１………………直方体の背面
２………………直方体の正面
３………………直方体の左側面
４………………直方体の右側面
５………………容器
６………………切り込み
７………………鉄板
８………………額縁
９………………留め具
１０………………電気釜蓋部
１１………………電気釜操作部
１２………………電気釜蓋開閉部
１３………………電気釜本体部
１４………………電気釜側壁
１５………………しゃもじ
１６………………ボード
１７………………写真
１８………………磁石
【図１】
2004148067.tif 000003
【図２】
2004148067.tif 000004